(57)【特許請求の範囲】
【請求項１】
首の反り返り防止機能及び後頭部保護機能を有する乳児用衣類（１００）であって、
乳児の頭が後へ過度に反り返ることに対応して乳児の頭を支えることができる後頭部サポート（１１１）と、前記後頭部サポート（１１１）と長形のヒンジ部材（１１２）を介してヒンジ締結される垂直芯サポート（１１３）と、前記垂直芯サポート（１１３）の下端に横方向に一体型に形成される水平芯サポート（１１４）との構造で構成されるフレーム構造体（１１０）と、
前記フレーム構造体（１１０）が内部に収容される形態に設置されるようにし、前記乳児用衣類（１００）の全体的な外形を成すシリコーンカバー（１２０）と、
前記シリコーンカバー（１２０）の内部に設置されるフレーム構造体（１１０）の前後に設置されて、前記フレーム構造体（１１０）が乳児に接触されないようにクッション層を形成するクッション生地（１３０）と
を含むことを特徴とする首の反り返り防止機能及び後頭部保護機能を有する乳児用衣類。
【請求項２】
前記シリコーンカバー（１２０）は、前記フレーム構造体（１１０）の前と後にクッション層を形成するために設置されるクッション生地（１３０）を枠で固定して仕上げ処理する
ことを特徴とする、請求項１に記載の首の反り返り防止機能及び後頭部保護機能を有する乳児用衣類。
【請求項３】
前記シリコーンカバー（１２０）は、前記乳児用衣類（１００）の全体的な外形を成すシリコーンカバー（１２０）の両肩部位と左右羽の側面にサスペンダーホルダー（１２１）をさらに形成し、前記サスペンダーホルダー（１２１）には紐部材からなる着用部材（１２２）が連設されて、乳児が着用することができるようにする
ことを特徴とする、請求項２に記載の首の反り返り防止機能及び後頭部保護機能を有する乳児用衣類。
【請求項４】
前記フレーム構造体（１１０）は、前記後頭部サポート（１１１）とヒンジ締結される前記垂直芯サポート（１１３）に後方へ６０度の角度に傾斜するように設置されるストッパ部材（１１５）をさらに含んで構成する
ことを特徴とする、請求項１〜３の中の何れか一項に記載の首の反り返り防止機能及び後頭部保護機能を有する乳児用衣類。
【請求項５】
前記フレーム構造体（１１０）は、前記後頭部サポート（１１１）と前記ストッパ部材（１１５）との間に設置され、前記後頭部サポート（１１１）の傾斜角度を調節するスプリング蝶番部材（１１６）をさらに含んで構成する
ことを特徴とする、請求項４に記載の首の反り返り防止機能及び後頭部保護機能を有する乳児用衣類。
【請求項６】
前記垂直芯サポート（１１３）は、前記長形のヒンジ部材（１１２）が締結される部分の下端で、両側に延長する肩部分固定部（１１７）
をさらに含むことを特徴とする、請求項５に記載の首の反り返り防止機能及び後頭部保護機能を有する乳児用衣類。
【請求項７】
前記後頭部サポート（１１１）は、前記垂直芯サポート（１１３）を基準として座ることのできる乳児と這う乳児に合わせて後方へ５度〜６０度の範囲で角度が調節されるように構成される
ことを特徴とする、請求項４に記載の首の反り返り防止機能及び後頭部保護機能を有する乳児用衣類。
【請求項８】
前記後頭部サポート（１１１）は、乳児の首と後頭部を支えて保護することができるようにする「Ｕ」字状に構成される
ことを特徴とする、請求項７に記載の首の反り返り防止機能及び後頭部保護機能を有する乳児用衣類。
【請求項９】
前記水平芯サポート（１１４）は、乳児の首が後へ反り返る時、前記垂直芯サポート（１１３）の下の部分が乳児の背中を殴って傷つける現象を防止することができるように支持部として機能する
ことを特徴とする、請求項７に記載の首の反り返り防止機能及び後頭部保護機能を有する乳児用衣類。
【発明の詳細な説明】
【技術分野】
【０００１】
本発明は首の反り返り防止機能及び後頭部保護機能を有する乳児用衣類に関するもので、より具体的には、乳児に容易に着用させることができる形態に構成されるシリコーンカバーの内部にフレーム構造体を設置し、フレーム構造体の前後にクッション生地を当て、シリコーンカバーの枠で固定して仕上げ処理することができるように構成することにより、乳児の頭が後に過度に反り返ることを防止し、また、衝撃から乳児の後頭部が保護されることができるようにする首の反り返り防止機能及び後頭部保護機能を有する乳児用衣類に関するものである。
【背景技術】
【０００２】
一般に、乳児は体の組職に力が足りなくて、首が座らない時期には、頭が後に倒れながら首や頭を痛める虞が多い。即ち、乳児は生後７−８ヶ月から活動量が多くなり、この時の乳児は足の力が弱く、頭の部分が体に比べて重いため、座って遊んでいる間均衡を失ってしまい、頭の部分が後へ過度に反り返りながら首を痛めることが発生し、また、後に倒れる場合に底にぶつかって伝達される衝撃により脳損傷を誘発することが発生して非常に危ない。
【０００３】
【０００４】
このように、乳児の首が過度に後へ反り返ったりまたは後に倒れたりするようなことは深刻な事故につながる虞があるため、乳児用品業社では乳児の頭を保護するためにたくさんの研究を行い、多様な乳児用品を開発して販売している。
【０００５】
【０００６】
即ち、乳児の頭や首を保護するために市販されている従来の乳児用品として、乳児の頭にかけることができる帯形態、空気が注入された頭保護用エアマット、乳児の首部分に安着される安着部と、安着部の両側に一対を成すクッション部とが設けられたクッション用品などが一般的に使われている。大韓民国特許公開公報第１０−２０１１−００６３９４６号は、日常生活や車シートに設置して用いることができるネックサポートを開示しており、大韓民国実用新案登録公開公報第２０−２０１３−０００３６１６号は乳児用首／腰サポートを開示している。
【０００７】
【０００８】
上述したように、一般に市販されている乳児用品や先行特許に開示されている従来の乳児用品は乳児が倒れる場合、底にぶつかって発生する衝撃から乳児の首や頭を保護するための緩衝クッション材のみとして機能を果たすという限界があった。
【発明の概要】
【発明が解決しようとする課題】
【０００９】
本発明は従来に提案された方法における前述したような問題点を解決するために提案されたもので、乳児に容易に着用させることができる形態に構成されるシリコーンカバーの内部にフレーム構造体を設置し、フレーム構造体の前後にクッション生地を当ててシリコーンカバーの枠で固定して仕上げ処理することができるように構成することで、乳児の頭が後へ過度に反り返ることを防止し、また、衝撃から乳児の後頭部を安全に保護することができる、首の反り返り防止機能及び後頭部保護機能を有する乳児用衣類を提供することをその目的とする。
【００１０】
【００１１】
また、本発明は、フレーム構造体の後頭部サポートを乳児が座っている場合と乳児が這う場合に合わせて後方へ５度〜６０度の範囲で角度が調節されるように構成することで、乳児用衣類を着た乳児の頭部分に後頭部サポートが接触されないので、異物感を感じることがなく、乳児の動きに制限がないとともに、乳児が均衡を失って頭が過度に後へ反り返る場合または乳児が後に倒れる場合のみ、乳児の頭を支えて保護することができるようにして、使用上の便宜性を向上することができる、首の反り返り防止機能及び後頭部保護機能を有する乳児用衣類を提供することをまた他の目的とする。
【００１２】
【００１３】
また、本発明は、フレーム構造体で垂直芯サポートの下部に水平芯サポートを一体型に構成することで、乳児の首が後へ反り返る時、垂直芯サポートの下の部分が乳児の背中を殴って傷つける現象を防止することができ、フレーム構造体を含む乳児用衣類は緩衝クッション材としての機能は勿論、乳児の動きによる移動姿勢を安定的に保持することができる、首の反り返り防止機能及び後頭部保護機能を有する乳児用衣類を提供することをまた他の目的とする。
【課題を解決するための手段】
【００１４】
上述したような目的を達するための本発明の特徴による首の反り返り防止機能及び後頭部保護機能を有する乳児用衣類は、
【００１５】
首の反り返り防止機能及び後頭部保護機能を有する乳児用衣類であって、
【００１６】
乳児の頭が後へ過度に反り返ることに対応して、乳児の頭を支えることができる後頭部サポートと、前記後頭部サポートと長形のヒンジ部材を介してヒンジ締結される垂直芯サポートと、前記垂直芯サポートの下端に横方向に一体型に形成される水平芯サポートとの構造で構成されるフレーム構造体と、
【００１７】
前記フレーム構造体が内部に収容される形態で設置され、前記乳児用衣類の全体的な外形を成すシリコーンカバーと、
【００１８】
前記シリコーンカバーの内部に設置されるフレーム構造体の前後に設置されて、前記フレーム構造体が乳児に接触されないようにクッション層を形成するクッション生地とを含むことをその構成上の特徴とする。
【００１９】
【００２０】
好ましくは、前記シリコーンカバーは、
【００２１】
前記フレーム構造体の前と後にクッション層を形成するために設置されるクッション生地を枠で固定して仕上げ処理することができる。
【００２２】
【００２３】
より好ましくは、前記シリコーンカバーは、
【００２４】
前記乳児用衣類の全体的な外形を成すシリコーンカバーの両肩部位と左右羽の側面にサスペンダーホルダーをさらに形成し、
【００２５】
前記サスペンダーホルダーには紐部材からなる着用部材が連設されて、乳児が着用することができるようにする。
【００２６】
【００２７】
好ましくは、前記フレーム構造体は、
【００２８】
前記後頭部サポートとヒンジ締結される前記垂直芯サポートに後方へ６０度の角度に傾斜するように設置されるストッパ部材をさらに含んで構成することができる。
【００２９】
【００３０】
より好ましくは、前記フレーム構造体は、
【００３１】
前記後頭部サポートと前記ストッパ部材との間に設置されて、前記後頭部サポートの傾斜角度を調節するスプリング蝶番部材をさらに含んで構成することができる。
【００３２】
【００３３】
さらに好ましくは、前記垂直芯サポートは、
【００３４】
前記長形のヒンジ部材が締結される部分の下端で、両側に延長する肩部分固定部をさらに含むことができる。
【００３５】
【００３６】
より好ましくは、前記後頭部サポートは、
【００３７】
前記垂直芯サポートを基準として、座ることのできる乳児と這う乳児に合わせて後方へ５度〜６０度の範囲で角度を調節することができるように構成することができる。
【００３８】
【００３９】
さらに好ましくは、前記後頭部サポートは、
【００４０】
乳児の首と後頭部を支持して保護することができるようにする「Ｕ」字状に構成することができる。
【００４１】
【００４２】
さらに好ましくは、前記水平芯サポートは、
【００４３】
乳児の首が後へ反り返る時、前記垂直芯サポートの下の部分が乳児の背中を殴って傷つける現象を防止することができるように支持部としての機能を果たすことができる。
【発明の効果】
【００４４】
本発明で提案している首の反り返り防止機能及び後頭部保護機能を有する乳児用衣類によれば、乳児に容易に着用させることができる形態に構成されるシリコーンカバーの内部にフレーム構造体を設置し、フレーム構造体の前後にクッション生地を当てて、シリコーンカバーの枠で固定して仕上げ処理することができるように構成することで、乳児の頭が後へ過度に反り返ることを防止することは勿論、衝撃から乳児の後頭部を安全に保護することができる。
【００４５】
【００４６】
また、本発明によれば、フレーム構造体の後頭部サポートを乳児が座っている場合と乳児が這う場合に合わせて後方へ５度〜６０度の範囲で角度が調節されるように構成することで、乳児用衣類を着用した乳児の頭部分に後頭部サポートが接触されなくて、異物感を感じることがなく、乳児の動きに制限がないとともに、乳児が均衡を失って乳児の頭が過度に後へ反り返る場合または乳児が後に倒れる場合のみ乳児の頭を支えて保護することができるようにして、使用の便宜性が向上されるようにできる。
【００４７】
【００４８】
また、本発明は、フレーム構造体で垂直芯サポートの下部に水平芯サポートを一体型に構成することで、乳児の首が後へ反り返る時、垂直芯サポートの下の部分が乳児の背中を殴って傷つける現象を防止することができ、フレーム構造体を含む乳児用衣類は緩衝クッション材としての機能は勿論、乳児の動きによる移動姿勢を安定的に保持することができるようにする。
【図面の簡単な説明】
【００４９】
【図１】図１は本発明の一実施例による首の反り返り防止機能及び後頭部保護機能を有する乳児用衣類の分解斜視図の構成を示した図面である。
【００５０】
【図２】図２は本発明の一実施例による首の反り返り防止機能及び後頭部保護機能を有する乳児用衣類に適用されるフレーム構造体の斜視図の構成を示した図面である。
【００５１】
【図３】図３は本発明の一実施例による首の反り返り防止機能及び後頭部保護機能を有する乳児用衣類に適用されるフレーム構造体の正面図の構成を示した図面である。
【００５２】
【図４】図４は本発明の一実施例による首の反り返り防止機能及び後頭部保護機能を有する乳児用衣類に適用されるフレーム構造体の側面図の構成を示した図面である。
【００５３】
【図５】図５は本発明の一実施例による首の反り返り防止機能及び後頭部保護機能を有する乳児用衣類の斜視図の構成を示した図面である。
【００５４】
【図６】図６は本発明の一実施例による首の反り返り防止機能及び後頭部保護機能を有する乳児用衣類を乳児が着用した状態を示した図面。
【符号の説明】
【００５５】
【００５６】
１００：乳児用衣類  １１０：フレーム構造体
【００５７】
１１１：後頭部サポート  １１２：長形のヒンジ部材
【００５８】
１１３：垂直芯サポート  １１４：水平芯サポート
【００５９】
１１５：ストッパ部材  １１６：スプリング蝶番部材
【００６０】
１１７：肩部分固定部  １２０：シリコーンカバー
【００６１】
１２１：サスペンダーホルダー  １２２：着用部材
【００６２】
１３０：クッション生地
【発明を実施するための形態】
【００６３】
以下、添付した図面を参照して本発明が属する技術分野において通常の知識を有する者が本発明を容易に実施することができるように好ましい実施例を詳しく説明する。ただ、本発明の好ましい実施例を詳細に説明するにおいて、係わる公知機能または構成に対する具体的な説明が本発明の要旨を不必要に曖昧にする虞があると判断される場合にはその詳細な説明を省略する。また、類似する機能及び作用をする部分については図面全体にかけて同じ符号を付ける。
【００６４】
【００６５】
明細書全体において、ある部分が他の部分と「連結」されているとする場合、これは「直接的に連結」される場合だけではなく、その中間に他の素子を挟んで「間接的に連結」される場合も含む。また、ある構成要素を「含む」というのは、特別に反対される記載がない限り他の構成要素を除くのではなく他の構成要素をさらに含むことができることを意味する。
【００６６】
【００６７】
図１は本発明の一実施例による首の反り返り防止機能及び後頭部保護機能を有する乳児用衣類の分解斜視図の構成を示した図面であり、図２は本発明の一実施例による首の反り返り防止機能及び後頭部保護機能を有する乳児用衣類に適用されるフレーム構造体の斜視図の構成を示した図面である。図１または図２に示したように、本発明の一実施例による首の反り返り防止機能及び後頭部保護機能を有する乳児用衣類１００は、フレーム構造体１１０、シリコーンカバー１２０及びクッション生地１３０を含んで構成されることができる。
【００６８】
【００６９】
フレーム構造体１１０は、乳児の頭が後へ過度に反り返ることに対応して、乳児の頭を支えることができる後頭部サポート１１１と、後頭部サポート１１１と長形のヒンジ部材１１２を介してヒンジ締結される垂直芯サポート１１３と、垂直芯サポート１１３の下端に横方向へ一体型に形成される水平芯サポート１１４との構造で構成することができる。ここで、フレーム構造体１１０の後頭部サポート１１１は、図２に示したように、乳児の首を後頭部を支えて保護することができる「Ｕ」字状に構成することが好ましいが、これに制限されなく、半円形、楕円形、円形の形態など多様に形成することができる。また、後頭部サポート１１１は、図４に示したように、垂直芯サポート１１３を基準として座ることのできる乳児と這う乳児に合わせて後方へ５度〜６０度の範囲で角度を調節することができるように構成することができる。特に、後頭部サポート１１１は座っている乳児の場合に５〜１０度の範囲で角度を調節することができることが好ましい。
【００７０】
【００７１】
また、フレーム構造体１１０は後頭部サポート１１１とヒンジ締結される垂直芯サポート１１３に後方へ６０度の角度に傾斜するように設置されるストッパ部材１１５をさらに含んで構成することができる。ここで、ストッパ部材１１５は垂直芯サポート１１３に一体に延長して形成される構造であるか、または垂直芯サポート１１３に６０度の角度に傾斜するように設置される構造の構成の中の一つで具現されることができる。このようなストッパ部材１１５は垂直芯サポート１１３を基準として６０度以上にそり返らないように固定させて、乳児が後に倒れる事故が発生した時に乳児の脳損傷が防止されることができるようにする。また、水平芯サポート１１４は乳児の首が後へ反り返る時垂直芯サポート１１３の下の部分が乳児の背中を殴って傷つける現象を防止することができるように支持部としての機能を果たすことができる。
【００７２】
【００７３】
また、フレーム構造体１１０は後頭部サポート１１１とストッパ部材１１５との間に設置されて、後頭部サポート１１１の傾斜角度を調節するスプリング蝶番部材１１６をさらに含んで構成することができる。このようなスプリング蝶番部材１１６は後頭部サポート１１１とストッパ部材１１５との間に堅固に設置され、乳児の頭が後へ反り返って後頭部サポート１１１に触れる場合に弾性的に保持することができる。ここで、スプリング蝶番部材１１６はねじ締結方式または３Ｍ両面テープで堅固に付着されることができる。
【００７４】
【００７５】
また、フレーム構造体１１０の垂直芯サポート１１３は長形のヒンジ部材１１２が締結される部分の下端で、両側に延長する肩部分固定部１１７をさらに含むことができる。
【００７６】
【００７７】
シリコーンカバー１２０は、後頭部サポート１１１と、長形のヒンジ部材１１２と、垂直芯サポート１１３と、水平芯サポート１１４と、ストッパ部材１１５と、スプリング蝶番部材１１６と、肩部分固定部１１７とを備えるフレーム構造体１１０が内部に収容される形態で設置され、乳児用衣類１００の全体的な外形を成すように構成される。このようなシリコーンカバー１２０は、図１に示したように、フレーム構造体１１０の前と後にクッション層を形成するために設置されるクッション生地１３０を枠で固定して仕上げ処理することができる。即ち、シリコーンカバー１２０は内部に設置されるフレーム構造体１１０の前後にクッションの役割を果たすクッション生地１３０を一重ずつ当てて、フレーム構造体１１０とクッション生地１３０をシリコーンカバー１２０の枠を利用して固定することができる。また、シリコーンカバー１２０は乳児用衣類１００の全体的な外形を成すシリコーンカバー１２０の両肩部位と左右羽の側面にサスペンダーホルダー１２１をさらに形成し、サスペンダーホルダー１２１には紐部材で構成される着用部材１２２が連設されて、乳児が着用することができるようにする。
【００７８】
【００７９】
クッション生地１３０は、シリコーンカバー１２０の内部に設置されるフレーム構造体１１０の前後に設置されて、フレーム構造体１１０が乳児に接触されないようにクッション層を形成する構成である。このようなクッション生地１３０は、前述したように、シリコーンカバー１２０の内部にフレーム構造体１１０が設置された状態で、フレーム構造体１１０の前と後にそれぞれ設置され、シリコーンカバー１２０の枠部分を通じて固定されて仕上げ処理されることができる。
【００８０】
【００８１】
図３は本発明の一実施例による首の反り返り防止機能及び後頭部保護機能を有する乳児用衣類に適用されるフレーム構造体の正面図の構成を示した図面であり、図４は本発明の一実施例による首の反り返り防止機能及び後頭部保護機能を有する乳児用衣類に適用されるフレーム構造体の側面図の構成を示した図面である。図３及び図４に示したように、フレーム構造体１１０は後頭部サポート１１１と垂直芯サポート１１３を長形のヒンジ部材１１２を介してヒンジ締結し、垂直芯サポート１１３の下部に水平芯サポート１１４を一体型に構成する。ここで、長形のヒンジ部材１１２はストッパを内装したヒンジ構造で、後頭部サポート１１１が容易に反り返ることができるように機能を果たし、後頭部サポート１１１は図４に示したように、５度〜６０度の範囲で角度を調節することができる。この時、後頭部サポート１１１の角度を５度〜６０度の範囲で調節するのは、５〜１０度が座っている乳児の頭が後頭部サポート１１１に触れない角度で、６０度が這う乳児が頭を上げた時触れない角度であるからである。即ち、後頭部サポート１１１は５〜１０度の角度で乳児の頭が接触されることを防止し、６０度の角度以上反り返らないように固定して乳児の脳損傷を防止することができる。本発明では５度〜６０度までに動くことができるようにした設計構造で構成される。
【００８２】
【００８３】
図５は本発明の一実施例による首の反り返り防止機能及び後頭部保護機能を有する乳児用衣類の斜視図の構成を示した図面である。図５に示したように、乳児用衣類１００は乳児に容易に着用させることができる形態に構成されるシリコーンカバー１２０の内部にフレーム構造体１１０が設置され、フレーム構造体１１０の前後にクッション生地１３０を当てて、シリコーンカバー１２０の枠で固定して仕上げ処理が行われる。このように、乳児用衣類１００は通常の縫製のような過程なしにシリコーンカバー１２０の内部にフレーム構造体１１０を配置し、フレーム構造体１１０の前後にクッション層の機能を有するクッション生地１３０を当ててシリコーンカバー１２０の枠部分を利用して固定して仕上げ処理されることができるようにすることで、縫製のような製造工程が省略されることができることはもちろん、デザインがシンプルで、仕上げ処理が堅固でありながらも簡単に具現されることができる。本発明による乳児用衣類１００の全体外形を構成するシリコーンカバー１２０は図１または図５に示したように、天使の羽の形状に構成しているが、これに制限されるのではなく、多様な形状に構成することができることと理解すべきである。
【００８４】
【００８５】
図６は本発明の一実施例による首の反り返り防止機能及び後頭部保護機能を有する乳児用衣類を乳児が着用した状態を示した図面である。図６の（ａ）は本発明による乳児用衣類を着用した状態で、乳児が座って遊んでいる状態を示し、図６の（ｂ）は本発明による乳児用衣類を着用した状態で、乳児が底に伏せて這っている状態を示す。
【００８６】
【００８７】
上述したように、本発明の一実施例による首の反り返り防止機能及び後頭部保護機能を有する乳児用衣類は、乳児の首と頭を支えて保護するための乳児用安全用品であって、普段は乳児の頭部分に後頭部サポートが接触されなくて異物感を感じなく、乳児の動きに制限がないとともに、乳児が均衡を失って乳児の頭が過度に後へ反り返る場合または乳児が後に倒れる場合のみ乳児の頭を支えて保護することができる。即ち、本発明の乳児用衣類はフレーム構造体を含む構成で、緩衝クッション材としての機能は勿論、乳児の動きによる移動姿勢を安定的に保持することができる。
【００８８】
【００８９】
以上で説明した本発明は本発明が属する技術分野において通常の知識を有する者によって多様な変形や応用が可能であり、本発明による技術的思想の範囲は特許請求の範囲によって定められるべきである。
【図１】
0006412578.tif 000002
【図２】
0006412578.tif 000003
【図３】
0006412578.tif 000004
【図４】
0006412578.tif 000005
【図５】
0006412578.tif 000006
【図６（ａ）】
0006412578.tif 000007
【図６（ｂ）】
0006412578.tif 000008